【手続補正書】
【提出日】平成18年4月24日(2006.4.24)
【手続補正１】
【補正対象書類名】明細書
【補正対象項目名】発明の名称
【補正方法】変更
【補正の内容】
【発明の名称】画像形成装置、画像形成方法、プログラム及び記録媒体
【手続補正２】
【補正対象書類名】明細書
【補正対象項目名】特許請求の範囲
【補正方法】変更
【補正の内容】
【特許請求の範囲】
【請求項１】  光源部から出射された複数の光ビームを偏向手段により偏向し感光体上に同時に走査させて画像記録を行う画像形成装置において、主走査方向の走査開始側に特定の評価チャートを形成し、走査開始側に形成される前記走査開始側の評価チャートに応じて前記複数の光ビームそれぞれ異なる位相の書き込みクロックを発生させる書込みクロック発生手段と、主走査方向の走査終了側に特定の評価チャートを形成し、走査終了側に形成される前記走査終了側の評価チャートに応じて前記複数の光ビームそれぞれの書き込みクロック周波数を補正する周波数補正手段とを備えたことを特徴とする画像形成装置。
【請求項２】  請求項１に記載の画像形成装置において、前記走査開始側および走査終了側に形成される評価チャートは、主走査方向に形成される所定の１ビームによるドット列に対して次の１ビームによるドット列が主走査方向にずらして配置される第１のパターンと、主走査方向に形成される所定の１ビームによるドット列に対して次の１ビームによるドット列が、主走査方向に第１のパターンとは反対方向にずらして配置される第２のパターンとで構成され、第１のパターンを前記光ビームの数の整数倍の周期で副走査方向に繰り返し、主走査方向にも一定の間隔で繰り返して形成される第１のパターン群と、第２のパターンを前記光ビームの数の整数倍の周期で副走査方向に繰り返し、主走査方向にも一定の間隔で繰り返して形成される第２のパターン群とを形成させた評価チャートであることを特徴とする画像形成装置。
【請求項３】  請求項１に記載の画像形成装置において、前記走査開始側および走査終了側に形成される評価チャートは、主走査方向に形成される所定の１ビームによるドット列に対して次の１ビームによるドット列が主走査方向にずらして配置される第１のパターンと、主走査方向に形成される所定の１ビームによるドット列に対して次の１ビームによるドット列が主走査方向に第１のパターンとは反対方向にずらして配置される第２のパターンとで構成され、第１のパターンを前記光ビームの数の整数倍の周期で副走査方向に繰り返して形成される第１のパターン群と、第２のパターンを前記光ビームの数の整数倍の周期で副走査方向に繰り返して形成される第２のパターン群とを形成させた評価チャートであることを特徴とする画像形成装置。
【請求項４】  請求項１乃至３のいずれか１項に記載の画像形成装置において、前記周波数補正手段は、主走査方向の前記走査開始側の評価チャートから得られる所定の情報ＫＬと、主走査方向の走査終了側の評価チャートから得られる所定の情報ＫＲと、基本となる書き込み周波数ｆ０および補正係数を算出するための関数Ｆ（ｘ，ｙ）とから、ｆ１＝ｆ０×Ｆ（ＫＬ，ＫＲ）の式に基づいて、補正書込み周波数ｆ１を演算することにより、書き込みクロック周波数を補正することを特徴とする画像形成装置。
【請求項５】  請求項１乃至４のいずれか１項に記載の画像形成装置において、１ビームのドット列のドットの数は変更可能になっていることを特徴とする画像形成装置。
【請求項６】  請求項１乃至４のいずれか１項に記載の画像形成装置において、前記評価チャートの出力に関して、主走査方向に形成される所定の１ビームによるドット列と主走査方向の距離が変更可能になっていることを特徴とする画像形成装置。
【請求項７】  請求項１乃至４のいずれか１項に記載の画像形成装置において、前記評価チャートの出力に関して、ドットの形成に係る条件は変更可能になっていることを特徴とする画像形成装置。
【請求項８】  請求項２または３に記載の画像形成装置において、第１パターンと第２パターン群のそれぞれに対して複数のビームのうちの所定のビームの主走査方向の位相をあらかじめずらしたパターン群が形成された評価チャートを出力することを特徴とする画像形成装置。
【請求項９】  第１のパターン群と第２のパターン群とのそれぞれに対して、複数のビームのうちの所定のビームの主走査方向の位相をあらかじめずらしたパターン群を感光体上に生成するパターン群発生手段と、この生成されたパターン群の感光体上の濃度を測定する濃度測定手段と、この濃度測定手段で測定した濃度情報に基づいて書き込みクロックの補正を行う周波数補正手段とを備えたことを特徴とする画像形成装置。
【請求項１０】  光源部から出射された複数の光ビームを偏向手段により偏向し感光体上に同時に走査させて画像記録を行う画像形成装置において、複数のビームのうちの所定のビームの主走査方向の走査開始側に位相をあらかじめずらしたパターン群を感光体上に生成する第１パターン群発生手段と、この生成されたパターン群の感光体上の濃度を測定する第１濃度測定手段と、前記第１濃度測定手段で測定された濃度に基づき前記複数の光ビームそれぞれ異なる位相の書き込みクロックを発生させる書込みクロック発生手段と、前記書込みクロック発生手段で発生されたクロックに基づき、複数のビームのうちの所定のビームの主走査方向の走査終了側に位相をあらかじめずらしたパターン群を感光体上に生成する第２パターン群発生手段と、この生成されたパターン群の感光体上の濃度を測定する第２濃度測定手段と、前記第１濃度測定手段と前記第２濃度測定手段で測定された濃度に基づいて前記複数の光ビームそれぞれの書き込みクロック周波数を補正する周波数補正手段とを備えたことを特徴とする画像形成装置。
【請求項１１】  光源部から出射された複数の光ビームを偏向工程により偏向し感光体上に同時に走査させて画像記録を行う画像形成方法において、主走査方向の走査開始側に特定の評価チャートを形成し、走査開始側に形成される前記走査開始側の評価チャートに応じて前記複数の光ビームそれぞれ異なる位相の書き込みクロックを発生させる書込みクロック発生工程と、主走査方向の走査終了側に特定の評価チャートを形成し、走査終了側に形成される前記走査終了側の評価チャートに応じて前記複数の光ビームそれぞれの書き込みクロック周波数を補正する周波数補正工程とを備えたことを特徴とする画像形成方法。
【請求項１２】  第１のパターン群と第２のパターン群とのそれぞれに対して、複数のビームのうちの所定のビームの主走査方向の位相をあらかじめずらしたパターン群を感光体上に生成するパターン群発生工程と、この生成されたパターン群の感光体上の濃度を測定する濃度測定工程と、この濃度測定工程で測定した濃度情報に基づいて書き込みクロックの補正を行う周波数補正工程とを備えたことを特徴とする画像形成方法。
【請求項１３】  光源部から出射された複数の光ビームを偏向工程により偏向し感光体上に同時に走査させて画像記録を行う画像形成装置において、複数のビームのうちの所定のビームの主走査方向の走査開始側に位相をあらかじめずらしたパターン群を感光体上に生成する第１パターン群発生工程と、この生成されたパターン群の感光体上の濃度を測定する第１濃度測定工程と、前記第１濃度測定工程で測定された濃度に基づき前記複数の光ビームそれぞれ異なる位相の書き込みクロックを発生させる書込みクロック発生工程と、前記書込みクロック発生工程で発生されたクロックに基づき、複数のビームのうちの所定のビームの主走査方向の走査終了側に位相をあらかじめずらしたパターン群を感光体上に生成する第２パターン群発生工程と、この生成されたパターン群の感光体上の濃度を測定する第２濃度測定工程と、前記第１濃度測定工程と前記第２濃度測定工程で測定された濃度に基づいて前記複数の光ビームそれぞれの書き込みクロック周波数を補正する周波数補正工程とを備えたことを特徴とする画像形成方法。
【請求項１４】  請求項１１乃至１３の何れか１項に記載の画像形成方法をコンピュータが制御可能にプログラミングしたことを特徴とする画像形成プログラム。
【請求項１５】  請求項１４に記載の画像形成プログラムをコンピュータが読み取り可能な形式で記録したことを特徴とする記録媒体。
【手続補正３】
【補正対象書類名】明細書
【補正対象項目名】００１１
【補正方法】変更
【補正の内容】
【００１１】
また、本発明の請求項１１は、光源部から出射された複数の光ビームを偏向工程により偏向し感光体上に同時に走査させて画像記録を行う画像形成方法において、主走査方向の走査開始側に特定の評価チャートを形成し、走査開始側に形成される前記走査開始側の評価チャートに応じて前記複数の光ビームそれぞれ異なる位相の書き込みクロックを発生させる書込みクロック発生工程と、主走査方向の走査終了側に特定の評価チャートを形成し、走査終了側に形成される前記走査終了側の評価チャートに応じて前記複数の光ビームそれぞれの書き込みクロック周波数を補正する周波数補正工程とを備えたことを特徴とする。
また、本発明の請求項１２は、第１のパターン群と第２のパターン群とのそれぞれに対して、複数のビームのうちの所定のビームの主走査方向の位相をあらかじめずらしたパターン群を感光体上に生成するパターン群発生工程と、この生成されたパターン群の感光体上の濃度を測定する濃度測定工程と、この濃度測定工程で測定した濃度情報に基づいて書き込みクロックの補正を行う周波数補正工程とを備えたことを特徴とする。
また、本発明の請求項１３は、光源部から出射された複数の光ビームを偏向工程により偏向し感光体上に同時に走査させて画像記録を行う画像形成装置において、複数のビームのうちの所定のビームの主走査方向の走査開始側に位相をあらかじめずらしたパターン群を感光体上に生成する第１パターン群発生工程と、この生成されたパターン群の感光体上の濃度を測定する第１濃度測定工程と、前記第１濃度測定工程で測定された濃度に基づき前記複数の光ビームそれぞれ異なる位相の書き込みクロックを発生させる書込みクロック発生工程と、前記書込みクロック発生工程で発生されたクロックに基づき、複数のビームのうちの所定のビームの主走査方向の走査終了側に位相をあらかじめずらしたパターン群を感光体上に生成する第２パターン群発生工程と、この生成されたパターン群の感光体上の濃度を測定する第２濃度測定工程と、前記第１濃度測定工程と前記第２濃度測定工程で測定された濃度に基づいて前記複数の光ビームそれぞれの書き込みクロック周波数を補正する周波数補正工程とを備えたことを特徴とする。
また、本発明の請求項１４は、請求項１１乃至１３の何れか１項に記載の画像形成方法をコンピュータが制御可能にプログラミングしたことを特徴とする。
また、本発明の請求項１５は、請求項１４に記載の画像形成プログラムをコンピュータが読み取り可能な形式で記録したことを特徴とする。